(57)【要約】【課題】前側に開口部が形成された箱体内に画成された収納室の前部を、低コストで均一に照明し得るようにする。【解決手段】箱体１２は、陳列品が収納される収納室１８が内部に画成され、該箱体１２の前面上部の配設された上レール部材１５の下側に、収納室１８に連通する開口部１８が形成されている。収納室１８の前側には、下方を照らすＬＥＤ照明装置６０が、上レール部材１５の後側でかつ該上レール部材１５の下縁１５ａより上方において、開口部１２ａの幅方向に配設されている。これにより、ＬＥＤ照明装置６０のＬＥＤ６４を点灯させることで、収納室１８の前部が、開口部１２ａの幅方向において照明される。また、ＬＥＤ照明装置６０が上レール部材１５により隠れた位置に配設されているから、該ＬＥＤ照明装置６０が点灯しても眩しくはない。【選択図】図３
2014155673.tif 000002
【特許請求の範囲】
【請求項１】
陳列品が収納される収納室(18)が内部に画成された箱体(12)と、前記箱体(12)の前面上部に配設された扉支持部材(15)と、前記扉支持部材(15)に支持され、該扉支持部材(15)の下側に開口して前記収納室(18)に連通する開口部(12a)を開閉可能な扉(17)とを備えた貯蔵庫において、
前記収納室(18)の前側には、下方を照らす照明手段(60)が、前記扉支持部材(15)の後側でかつ該扉支持部材(15)の下縁(15a)より上方に位置して前記開口部(12a)の幅方向に配設された
ことを特徴とする貯蔵庫。
【請求項２】
前記箱体(12)には、前記収納室(18)の上方に、前側に設けられた吸込み口(23)を介して前記収納室(18)内の空気を取り込んで冷却器で冷却した後に該収納室(18)に送り出す冷却室(19)が画成され、
前記収納室(18)には、前記扉支持部材(15)の後側から前記開口部(12a)と吸込み口(23)との間に向け延出する規制板(48)が設けられ、
前記照明手段(60)は、前記規制板(48)に配設されている請求項１記載の貯蔵庫。
【請求項３】
前記照明手段(60)は、前記規制板(48)の下面に配設され、
前記規制板(48)の上面には、上方へ突出する保持片(52)が形成されて、前記保持片(52)と前記扉支持部材(15)との間に画成された配線配設部(55)に、前記照明手段(60)に接続する配線(65)を通すよう構成された請求項２記載の貯蔵庫。
【請求項４】
前記規制板(48)は、前記箱体(12)に取り付けられて前記扉支持部材(15)を支持する部材支持部(47)に一体に形成された請求項２または３記載の貯蔵庫。
【請求項５】
前記収納室(18)の前側には、前記照明手段(60)に接続する配線(65)が通る支柱(21)が、該収納室(18)を上下に延在すると共に前記扉(17)と間をあけて配設され、
前記照明手段(60)を、前記支柱(21)と前記扉支持部材(15)との間に配設可能にした請求項１〜４の何れか一項に記載の貯蔵庫。
【発明の詳細な説明】
【技術分野】
【０００１】
本発明は、前側に開口部が形成された箱体内に画成された収納室の前部を照明する照明手段を設えた貯蔵庫に関するものである。
【背景技術】
【０００２】
食料品店やコンビニエンスストア等の店舗では、食品や飲料品等の物品を冷蔵または冷凍保存するショーケースなどの貯蔵庫が用いられている(例えば、特許文献１参照)。この貯蔵庫は、断熱構造の箱体の内部に、食品や飲料品等の陳列品の収納室が画成され、該箱体の下部に圧縮器や凝縮器等を備えた冷却装置が設置される機械室が設けられている。また、箱体の前部には、収納室に対して陳列品を出し入れする開口部が形成され、該箱体の前部には、該開口部を開閉するスライドタイプまたは回転タイプの扉が配設されている。なお、ショーケースは、収納室に対する陳列品の出し入れする際の利便を図るため、収納室の前部(開口部の周辺)を照明する照明手段を備えたものがある。
【先行技術文献】
【特許文献】
【０００３】
【特許文献１】特開２０１０−３５８４５号公報
【発明の概要】
【発明が解決しようとする課題】
【０００４】
収納室の前部を照明する前記照明手段は、開口部の左右中央部に縦向きに配設したり、開口部の左側部および右側部に縦向きに配設されるものが多い。しかしながら、照明手段を開口部の左右中央部に縦向きに配設する場合には、左方向を照らす照明手段と右方向を照らす照明手段とが必要となり、少なくとも２基の照明手段が必要となる。また、開口部の左側部および右側部に照明手段を縦向きに配設する場合でも、少なくとも２基の照明手段が必要である。従って、従来の照明手段の配設態様では、コストが嵩む問題がある。また、照明手段を開口部の左右中央部や左右側部に配設する場合には、該照明手段が開口部の前側から見えるため、点灯時に眩しい。
【０００５】
そこで本発明では、前側に開口部が形成された箱体内に画成された収納室の前部を、低コストで均一に照明し得る貯蔵庫を提供することを目的とする。
【課題を解決するための手段】
【０００６】
前記課題を解決し、所期の目的を達成するため、請求項１に記載の発明は、
陳列品が収納される収納室が内部に画成された箱体と、前記箱体の前面上部に配設された扉支持部材と、前記扉支持部材に支持され、該扉支持部材の下側に開口して前記収納室に連通する開口部を開閉可能な扉とを備えた貯蔵庫において、
前記収納室の前側には、下方を照らす照明手段が、前記扉支持部材の後側でかつ該扉支持部材の下縁より上方に位置して前記開口部の幅方向に配設されたことを要旨とする。
請求項１に係る発明によれば、収納室の前側において、扉支持部材の後側でかつ該扉支持部材の下縁より上方に照明手段を配設したので、開口部の前側から該照明手段が隠れるため、該照明手段の点灯時に眩しくない。また、照明手段が開口部の幅方向に配設されているから、収納室の前部を開口部の幅方向に亘って均一に照明できる。更に、照明手段により収納室の前部を開口部の幅方向に照明できるから、該照明手段の数が少なくて済み、コストを抑えることができる。
【０００７】
請求項２に記載の発明では、
前記箱体には、前記収納室の上方に、前側に設けられた吸込み口を介して前記収納室内の空気を取り込んで冷却器で冷却した後に該収納室に送り出す冷却室が画成され、
前記収納室には、前記扉支持部材の後側から前記開口部と吸込み口との間に向け延出する規制板が設けられ、
前記照明手段は、前記規制板に配設されていることを要旨とする。
請求項２に係る発明によれば、扉支持部材の後側から開口部と吸込み口との間に向け延出する規制板を設けたから、収納室の空気を吸込み口から冷却室内へ取り込む際に、扉と扉支持部材との隙間から外気が流入して冷却室へ取り込まれることを防止し得る。また、規制板に照明手段を配設するから、該照明手段を収納室の前側に取り付ける別途の取付手段を設ける必要がなく、該照明手段の配設に係るコストを抑えることができる。
【０００８】
請求項３に記載の発明では、
前記照明手段は、前記規制板の下面に配設され、
前記規制板の上面には、上方へ突出する保持片が形成されて、前記保持片と前記扉支持部材との間に画成された配線配設部に、前記照明手段に接続する配線を通すよう構成されたことを要旨とする。
請求項３に係る発明によれば、照明手段が下面に配設される規制板の上面に画成された配線配設部に、該照明手段に接続する配線を通すようにしたから、該配線を保持するための別途の配線保持手段を設ける必要がなく、配線保持に係るコストを抑えることができる。
【０００９】
請求項４に記載の発明では、
前記規制板は、前記箱体に取り付けられて前記扉支持部材を支持する部材支持部に一体に形成されたことを要旨とする。
請求項４に係る発明によれば、扉支持部材を支持する部材支持部を箱体に取り付けることで規制板が箱体に同時に取り付けられるから、貯蔵庫の組立て作業工数を減らすことができると共に、コストを抑えることができる。
【００１０】
請求項５に記載の発明では、
前記収納室の前側には、前記照明手段に接続する配線が通る支柱が、該収納室を上下に延在すると共に前記扉と間をあけて配設され、
前記照明手段を、前記支柱と前記扉支持部材との間に配設可能にしたことを要旨とする。
請求項５に係る発明によれば、照明手段の後側に支柱が配設されているから、該照明手段により収納室の前部を照明する際に該支柱が邪魔にならず、支柱が配設されていても収納室の前部を好適に照明することができる。また、扉と支柱との間に空間があるから、該支柱の前側に照明手段を配設して、収納室の前部を照明することも可能である。
【発明の効果】
【００１１】
本発明に係る貯蔵庫によれば、箱体内に画成された収納室の開口部上方に、前側から隠れた位置に該開口部の幅方向に照明手段を配設したので、該収納室の前部を低コストで均一に照明することが可能である。
【図面の簡単な説明】
【００１２】
【図１】本発明の好適な実施例に係る貯蔵庫を示す正面図である。
【図２】箱体の前側上部を、トップパネルおよび冷却室を省略して後斜め上方から見た概略斜視図である。
【図３】図２のＸ１−Ｘ１線断面図である。
【図４】箱体の前面上部に配設される各部材を分解して示す斜視図である。
【図５】(ａ)は、レール取付部および規制板が一体に形成された内装板の部分背面図、(ｂ)は、内装板の部分平面図、(ｃ)は、内装板の右側面図である。
【図６】(ａ)は、下方から見たＬＥＤ照明装置の概略構成図、(ｂ)は、(ａ)のＸ２−Ｘ２線断面図である。
【発明を実施するための形態】
【００１３】
次に、本発明に係る貯蔵庫につき、好適な実施例を挙げて、添付図面を参照しながら以下説明する。なお、実施例における左右、前後および上下方向は、貯蔵庫１０を正面から見た状態で指称する。なお、左右方向を、開口部１２ａの幅方向と指称する場合がある。
【実施例】
【００１４】
図１に示すように、実施例に係る貯蔵庫１０は、外板と内板の間にウレタンフォーム等の断熱材を充填して構成され、前方に開口した内部空間を備える矩形状の箱体１２と、この箱体１２の下側に設けられ、該箱体１２を支える筐体１３とを備える。貯蔵庫１０は、箱体１２の前側上部に取り付けられたフロントパネル４１の下縁に設けられた扉支持部材としての上レール部材１５と、箱体１２の前側下部(筐体１３の上部)に取り付けられた下レール部材１６との間に、箱体１２の内部空間に画成される収納室１８に連通する開口部１２ａが形成されている。開口部１２ａは、上レール部材１５および下レール部材１６によりスライド可能に支持された２枚の扉１７,１７によって開閉可能に構成される。そして、貯蔵庫１０は、扉１７を開放して、開口部１２ａを介して収納室１８に対して物品が出し入れされる。なお、実施例では、扉１７としてガラス扉が用いられており、実施例の貯蔵庫１０は、収納室１８に収納された物品を外から視認できるショーケースとも呼ばれるものである。また、貯蔵庫１０は、筐体１３の内部に画成された機械室１３ａに、圧縮機や凝縮器などの冷凍機を構成する機器(何れも図示せず)や、冷凍機の制御を担う電装箱(図示せず)などが配設される。
【００１５】
図２に示すように、箱体１２は、内部空間におけるフロントパネル４１の後側に配設された冷却ダクト２０によって、該内部空間が、該冷却ダクト２０で囲まれた冷却室１９と、該冷却室１９の下側の収納室１８とに上下に区分される。冷却室１９には、前記冷凍機を構成して、該冷凍機の通常運転により空気を冷却する冷却器や、収納室１８および冷却室１９の間で空気を循環させる冷却ファンや、冷却室１９の温度を検知する温度検知手段(何れも図示せず)が配設される。ここで、冷却器は、開口部１２ａの左右方向中央部に上下に延在するよう配設された支柱２１に収容された冷媒管２２(図２、図３参照)を介して、機械室１３ａに設置された冷凍機の構成機器との間で冷媒が循環される。そして、冷却ダクト２０には、収納室１８から冷却室１９に空気を取り込む吸込み口２３(図３参照)がフロントパネル４１側(前側)に設けられ、冷却室１９から収納室１８へ空気を送り出す吐出し口(図示せず)が後側に設けられている。
【００１６】
扉支持部材である上レール部材１５は、図２〜図４に示すように、略水平な天板部３０に前後方向へ離間して３本のガイド壁３１,３２,３３が下方へ立設されて、夫々がフロントパネル４１の左右方向の全長に亘って平行に延在している。そして、前側に位置する第１ガイド壁３１と中央に位置する第２ガイド壁３２とにより前側レール部３４が画成され、第２ガイド壁３２と後側に位置する第３ガイド壁３３とにより後側レール部３５が画成されて、前後のレール部３４,３５に対応して、前後の扉１７,１７の上端部が、前後方向の移動が規制された状態で左右方向にスライド自在に支持されるようになっている。また、上レール部材１５には、天板部３０の後端から上方へ立ち上がった取付片３６が、該天板部３０と一体に形成されている。この取付片３６は、図２および図３に示すように、後述するレール取付部４７に当該上レール部材１５を支持するためのものである。そして、取付片３６の上端近傍には、後方へ開口すると共に左右方向へ延在する係合溝３７が形成されている。また、取付片３６の左端および右端の近傍には、ネジ(図示せず)が挿通するネジ挿通孔５１,５１が形成され、該ネジ挿通孔５１,５１に挿通したネジを箱体１２の側壁を構成するサイドパネル(図示せず)の前端に螺挿することで、上レール部材１５が該箱体１２に固定されるようになっている。なお、上レール部材１５の左右両端には、扉１７,１７が当接するストッパ３８,３８が配設される(図２〜図４参照)。
【００１７】
フロントパネル４１は、図２〜図４に示すように、トップパネル４０の前側に取り付けられる外装板４２と、外装板４２から箱体１２の内方へ離間して該箱体１２の内壁を構成する内装板４３と、外装板４２および内装板４３の間に配設された断熱材４４とから構成されている。内装板４３は、箱体１２の左右方向に亘って延在する横長の部材であり、トップパネル４０から垂直下方に延在する横長の本体部４５と、本体部４５の上縁から前方へ延出してトップパネル４０の下面に固定される固定部４６とを備えると共に、本体部４５の下側に設けられて上レール部材１５を支持するレール支持部(部材支持部)４７と、該レール支持部４７に設けられた規制板４８とが一体に形成されている。本体部４５の左端および右端の近傍には、ネジ(図示せず)が挿通するネジ挿通孔５９,５９が形成され、該ネジ挿通孔５９,５９に挿通したネジを箱体１２のサイドパネル(図示せず)の前端に螺挿することで、内装板４３が該箱体１２に固定されるようになっている。
【００１８】
内装板４３に一体に形成されたレール支持部４７は、図２〜図４に示すように、内装板４３の本体部４５の下縁から垂直下方へ延在する横長の取付板部４９と、該取付板部４９の上縁から前方へ突出する係合突部５０とを備える。係合突部５０は、図３に示すように、上レール部材１５の取付片３６に形成された係合溝３７に後方から差し込まれて、該係合溝３７に係合される。従って、上レール部材１５は、取付片３６の各ネジ孔５１に挿通したネジにより左端部および右端部が箱体１２に固定され、該取付片３６がレール支持部４７の取付板部４９に前側から当接すると共に係合溝３７に係合突部５０が係合することで、該レール支持部４７に対して移動規制された状態で支持される。なお、レール固定部４６の取付板部４９は、上レール部材１５の取付片３６から第３ガイド壁３３の中途位置まで延在しており(図３参照)、上レール部材１５を安定的に支持することが可能である。
【００１９】
レール支持部４７に一体に形成された規制板４８は、図２〜図５に示すように、該レール支持部４７の取付板部４９の下縁から後方(収納室１８内側)へ略水平に延出して、開口部１２ａの幅方向の全長に亘って設けられている。すなわち、規制板４８は、収納室１８の前側において、上レール部材１５における第３ガイド壁３３の後側から開口部１２ａと吸込み口２３との間に向けて延出するように配設されている。これにより、規制板４８は、冷却ファンを作動させて収納室１８内の空気を吸込み口２３から冷却室１９内へ取り込む際に、開口部１２ａを閉じた各扉１７,１７の上縁部と上レール部材１５における第１〜第３ガイド壁３１,３２,３３との隙間を介して外気が収納室１８内へ吸い込まれるのを阻止し得る。ここで、規制板４８は、図３に示すように、上レール部材１５の第３ガイド壁３３における上下略中央から後方へ水平に延出するよう形成されているから、該上レール部材１５の下縁１５ａよりも上方に位置している。なお、規制板４８の後端は、前述した支柱２１の前側近傍に臨んでいる。
【００２０】
図２〜図５に示すように、規制板４８の上面には、レール支持部４７から後方に離間した位置から上方へ延出すると共に左右方向へ延在する配線保持片(保持片)５２が、該規制板４８と一体に形成されている。配線保持片５２は、規制板４８の上面から略垂直に立ち上がった縦板部５３と、該縦板部５３の上端から前方へ延出した横板部５４とからなっている。そして、規制板４８、レール支持部４７および配線保持片５２により囲まれた部分が、規制板４８の下面に配設される後述の照明手段６０に接続された配線６５を通すための配線配設部５５となっている。ここで、横板部５４の前端とレール支持部４７の後面とは、配線６５の挿通が許容される間隔となっており、該配線６５を上方から配線配設部５５に引き込み得るようになっている。また、図２、図４および図５に示すように、配線保持片５２は、左右方向の略中央、右端近傍および左端近傍で、夫々切り欠かれている。このうち、左端近傍の左切り欠き部５６および右端近傍の右切り欠き部５８は、照明手段６０を規制板４８に取り付ける第２取付具６７,６７を規制板４８に固定するために形成されている。また、各切り欠き部５６,５７,５８は、照明手段６０に接続された配線６５を通すことも可能となっている。
【００２１】
実施例の貯蔵庫１０は、図１〜図４に示すように、収納室１８の前側において、上レール部材１５の後側でかつ該上レール部材１５の下縁１５ａより上方に位置して下方を照らし得る照明手段６０が、開口部１２ａの幅方向に配設されている。ここで、実施例では、レール支持部４７に一体に形成された規制板４８の下面に、照明手段６０が取り付けられる。
【００２２】
実施例では、照明手段６０として、複数のＬＥＤ(発光ダイオード)を備えたＬＥＤ照明装置が採用されている。このＬＥＤ照明装置６０は、図１、図４および図６に示すように、開口部１２ａの幅方向の開口幅と同程度の長さとされた中空状の本体６１と、該本体６１内に配設され、該本体６１の長手方向へ所要間隔毎に複数のＬＥＤ６４が配置された照明基板６３とを備えている。本体６１の下面には、各ＬＥＤ６４の照射光を透過可能なレンズ部材６２が配設されている。また、照明基板６３に接続された配線６５が、レンズ部材６２の長手方向における一方の端部(実施例では左側端部)から外方へ引き出されている。そして、本体６１における長手方向の両端には、当該ＬＥＤ照明装置６０を規制板４８に取り付けるための第１取付具６６,６６が取り付けられている。
【００２３】
前述のように構成されたＬＥＤ照明装置６０は、図２〜図４に示すように、規制板４８の下面に対して、レンズ部材６２が下向き(各ＬＥＤ６４の照射方向が下向き)とした姿勢で取り付けられる。すなわち、左切り欠き部５６および右切り欠き部５８において規制板４８に固定される各第２取付具６７,６７に対して、各第１取付具６６,６６を下方からネジにより締結することにより、ＬＥＤ照明装置６０は、上レール部材１５の後側で該上レース部材１５に沿って開口部１２ａの幅方向へ水平に延在するように取り付けられる。そして、規制板４８に取り付けられたＬＥＤ照明装置６０は、図３に示すように、上レール部材１５の最も下方に位置する下縁１５ａ(第１ガイド壁３１の下縁)より上方に位置しており、貯蔵庫１０の前側からは、該上レール部材１５で隠れて見えない位置に配設されている(図１参照)。
【００２４】
また、ＬＥＤ照明装置６０から引き出された配線６５は、図２および図３に示すように、前述した左切り欠き部５６を介して配線配設部５５内へ通した後、中切り欠き部５７から支柱２１内へ引き込まれ、該支柱２１内を通って機械室１３ａ内へ引き出されるようになっている。なお、図２〜図４に示す符号６８は、ＬＥＤ照明装置６０から引き出された配線６５をカバーするカバー部材である。
【００２５】
実施例の貯蔵庫１０は、図２および図３に示すように、収納室１８の前部において開口部１２ａの左右中央部に位置する支柱２１が、規制板４８および該規制板４８に取り付けられたＬＥＤ照明装置６０との干渉を回避するため、ＬＥＤ照明装置６０の後側に配設されて扉１７,１７から後方へ離間している。従って、支柱２１と扉１７,１７との間に空間が画成されているから、例えば直管タイプの蛍光灯を備えた照明手段６０が配設可能となっている(図３参照)。また、第２取付具６７の形態を適宜変更することで、規制板４８の下面に、直管タイプの蛍光灯を備えた照明手段６０が配設可能となっている。
【００２６】
(実施例の作用)
実施例の貯蔵庫１０は、冷凍機を構成する冷却器を、箱体１２の内部上方に配置した後に、冷却ダクト２０を該箱体１２に取り付ける。また、箱体１２に内装板４３を取り付けるに先立って、該内装板４３に一体に形成された規制板４８の下面に、第１取付具６６および第２取付具６７を締結することでＬＥＤ照明装置６０を取り付ける。なお、ＬＥＤ照明装置６０の配線６５は、予め配線配設部５５に通した後に、中切り欠き部５７から引き出しておく。そして、規制板４８にＬＥＤ照明装置６０が取り付けられた内装板４３を、箱体１２のトップパネル４０およびサイドパネル(図示せず)に固定する。この際に、ＬＥＤ照明装置６０の配線６５を、支柱２１内へ通すようにする。次いで、上レール部材１５を、内装板４３に一体に形成されたレール支持部４７に前側から支持させ、この支持状態でサイドパネル(図示せず)に固定する。更に、内装板４３の前側に断熱材４４を配置すると共に、該断熱材４４の前側に外装板４２を取り付けることで、箱体１２の前部上方に対してフロントパネル４１の取り付けが完了する。
【００２７】
前述のように組み立てられた実施例の貯蔵庫１０は、図１〜図３に示すように、規制板４８の下面に配設されたＬＥＤ照明装置６０が、レール支持部４７に取り付けられた上レール部材１５の後方に位置し、かつ該ＬＥＤ照明装置６０の下面(レンズ部材６２)が、該上レール部材１５の下縁１５ａより上方に位置している。従って、開口部１２ａの前側から隠れた位置にＬＥＤ照明装置６０が配設されているから、該ＬＥＤ照明装置６０の各ＬＥＤ６４を点灯させて収納室１８の前部を照明しても眩しくはない。そして、ＬＥＤ照明装置６０は、照射光の指向性が高い各ＬＥＤ６４の照射方向が下向きとなった姿勢で規制板４８の下面に取り付けられているから、該ＬＥＤ６４が点灯しても眩しくはない。しかも、ＬＥＤ照明装置６０が開口部１２ａの幅方向に配設されているから、収納室１８の前部を開口部１２ａの幅方向に亘って均一に照明できる。すなわち、１基のＬＥＤ照明装置６０により収納室１８の前部を開口部１２ａの幅方向に照明できるから、コストを抑えることができる。
【００２８】
そして、上レール部材１５の後側に設けられる規制板４８にＬＥＤ照明装置６０を取り付けるようにしたから、該ＬＥＤ照明装置６０を収納室１８の前側に取り付けるために別途の取付部材を設ける必要がなく、コストを抑えることができる。しかも、内装板４３に一体に形成された規制板４８にＬＥＤ照明装置６０を予め取り付けてから該内装板４３を箱体１２に取り付けるから、該内装板４３の取付作業と同時にＬＥＤ照明装置６０が箱体１２内に配設され、箱体１２に対する該ＬＥＤ照明装置６０の取付作業が省略されて貯蔵庫１０の組立て作業工数を減らすことができる。また、規制板４８の下面にＬＥＤ照明装置６０を取り付けたので、冷却ダクト２０の着脱に際して該ＬＥＤ照明装置６０が邪魔にならず、該ＬＥＤ照明装置６０を取り外すことなく冷却ダクト２０の着脱を行ない得る。
【００２９】
そして、規制板４８の上面に配線保持片５２を設けて、ＬＥＤ照明装置６０からの配線６５を通す配線配設部５５を該規制板４８の上面に設けたので、配線６５を保持する別途の部材を設ける必要がなく、配線６５の配線処理に関連するコストも抑えることができる。また、配線配設部５５を通した配線６５が配線保持片５２で保持されるから、該配線６５が開口部１２aへ垂れ下がることも防止し得る。しかも、規制板４８の上面に配線６５を通すから、冷却ダクト２０の着脱に際して該配線６５が邪魔になることもない。更に、配線６５は、支柱２１の内部に通して機械室１３ａに引き出すようになっているので、該配線６５が収納室１８内に露出して配設されず、収納室１８内の美観を損なうことがないと共に、陳列品や手などの接触により配線６５を断線させるなどの不都合も回避できる。
【００３０】
また、規制板４８が、内装板４３に一体に形成されたレール支持部４７と一体に形成されているから、該内装板４３を箱体１２のトップパネル４０に取り付けることで該規制板４８も該箱体１２の収納室１８内に配設されるから、箱体１２に対する規制板４８の取付作業が省略されて、貯蔵庫１０の組立て作業工数を減らすことができる。なお、上レール部材１５を取り付けるレール支持部４７が、内装板４３に一体に形成されているので、該レール支持部４７と内装板４３との境界部に隙間が形成されないようにし得る。従って、冷却ファンを作動させて収納室１８の空気を吸込み口２３から冷却室１９へ取り込む際に、庫外の外気が、扉１７,１７の上縁部と上レール部材１５の隙間を介して内装板４３とレール支持部４７との間から収納室１８内に流入することを阻止し得る。
【００３１】
更に、支柱２１が、ＬＥＤ照明装置６０が下向きに配設された規制板４８より後側に配設されて、ＬＥＤ照明装置６０のＬＥＤ６４の照射方向に位置していないから、ＬＥＤ照明装置６０による収納室１８の前部の照明に際して該支柱２１が邪魔にならない。
【００３２】
そして、実施例の貯蔵庫１０は、規制板４８に対して、ＬＥＤ６４を備えたＬＥＤ照明装置６０だけでなく、直管タイプの蛍光灯を備えた照明手段を取り付けることも可能であり、収納室１８の前部を照明する照明手段の種類が異なる仕様を構成することができる。更に、支柱２１を、扉から間をあけて後方に配設したことで、該支柱２１の前側に空間が画成されているから、例えば蛍光灯を備えた照明手段６０(図３に２点鎖線で表示)を支柱２１に配設することも可能であり、収納室１８の前部の照明する照明手段の配設位置が異なる仕様を構成することも可能である。
【００３３】
(変更例)
本発明に係る貯蔵庫としては、実施例のものに限られるものではなく、種々の変更が可能である。
（１）照明手段６０は、上レール部材１５の後方において、該上レール部材１５の下縁１５ａより上方に位置して、開口部１２ａの幅方向に配設され得るものであれば、実施例で例示したＬＥＤ６４を備えたＬＥＤ照明装置や蛍光灯を備えた照明装置に限らず、例えば有機ＥＬを備えた照明装置やその他様々な形式のものが実施可能である。
（２）複数のＬＥＤ６４を備えるＬＥＤ照明装置６０は、各ＬＥＤ６４の照射方向が異なるものであってもよい。すなわち、ＬＥＤ６４の照射方向を異ならせることで、収納室１８の後部側を照明することも可能である。
（３）ＬＥＤ照明装置６０は、規制板４８の配設位置や形状が実施例と異なったり、該規制板４８が設けられていない場合は、レール支持部４７の後面に直接取り付けるよう構成してもよい。また、レール支持部４７の形状が実施例と異なる場合には、扉支持部材である上レール部材１５の後面に直接取り付けるよう構成してもよい。
（４）扉１７は、実施例で例示したスライドタイプに限らず、箱体１２に回転可能に取り付けられる回転タイプであってもよい。このような回転タイプの扉１７を備える貯蔵庫では、扉支持部材１５が、閉成した扉１７を後側から当て受けて支持し得るよう構成される。
（５）実施例では、貯蔵庫としてショーケースを挙げて説明したが、ショーケースに限らず、冷蔵庫や冷凍庫等であってもよい。
【符号の説明】
【００３４】
１２ 箱体，１２ａ 開口部，１５ 上レール部材(扉支持部材)，１５ａ 下縁，１７ 扉
１８ 収納室，１９ 冷却室，２１ 支柱，２３ 吸込み口
４７ レール支持部(部材支持部)，４８ 規制板，５２ 配線保持片(保持片)
５５ 配線配設部，６０ ＬＥＤ照明装置(照明手段)，６５ 配線
【図１】
2014155673.tif 000003
【図２】
2014155673.tif 000004
【図３】
2014155673.tif 000005
【図４】
2014155673.tif 000006
【図５】
2014155673.tif 000007
【図６】
2014155673.tif 000008